(57)【特許請求の範囲】
【請求項１】
伸縮式のポールに送風機本体を取付けてなる茶園で使用される防霜ファンであって、前記ポールの先端部に設けられた前記送風機本体を支持する支持部は、前記送風機本体が有する送風用の羽根の前面がほぼ真下に向くようにその送風機本体の姿勢を変更可能に構成されていることを特徴とする茶園で使用される防霜ファン。
【請求項２】
送風用の羽根がガードにてカバーされている、請求項１に記載の茶園で使用される防霜ファン。
【発明の詳細な説明】
【０００１】
【発明の属する技術分野】
本発明は、農作物の霜害を防ぐための防霜ファンに関する。
【０００２】
【従来の技術】
例えば茶園では、図６に示すように、地上約６ｍの逆転層の空気を防霜ファン５０によって茶畝Ｔに向けて送り込み、茶園全体を暖めるようにして霜害を防いでいる。この種の防霜ファン５０は、ポール５１の上端に送風機本体５２を取付けたもので、送風機本体５２には送風用の羽根５３として比較的単純な構造でかつ外径の大きな軸流ファンを備えているのが一般的である。
ところで、薬剤散布や茶葉の収穫のために茶畝Ｔを跨ぐ作業機械が導入されているが、そのような大規模茶園では、その面積に応じて防霜ファン５０を多数設置する必要があり、茶畝Ｔ内や畦道にポール５１を立てることが多い。なお、図中のＷは、茶葉の収穫に使用する、例えば乗用型の摘採機の一例である。
【０００３】
【発明が解決しようとする課題】
ところが、茶畝Ｔ内や畦道にポール５１が立っていると、茶畝Ｔを跨ぐ摘採機Ｗ等作業機械を使用するときに邪魔になり、ポール５１を迂回させる等の作業が必要であるため、作業効率が極端に悪くなってしまうという問題がある。
【０００４】
本発明は上記の問題に鑑みてなされたもので、その目的とするところは、作業機械の運転の邪魔にならない位置に退避させ得る防霜ファンを提供し、作業効率の向上を図ることである。
【０００５】
【課題を解決するための手段】
この課題を解決するために、以下のような防霜ファンを創作した。すなわち、請求項１の発明は、伸縮式のポールに送風機本体を取付けてなる防霜ファンであって、前記ポールの先端部に設けられ前記送風機本体を支持する支持部は、前記送風機本体が有する送風用の羽根の前面がほぼ真下に向くようにその送風機本体の姿勢を変更可能に構成されていることを特徴とする。
【０００６】
上記構成の防霜ファンを退避姿勢にするときは、伸縮ポールを縮小状態にして背を低くし、さらに送風機本体の姿勢を羽根の前面がほぼ真下に向くようにして防霜ファンの全高を低くする。
すなわち、請求項１に係る発明によれば、防霜ファンの上端部を茶畝の上端部より低く、かつ茶畝の断面形状からはみ出さないようにすることができる。したがって、作業機械はそのまま防霜ファンの上方を通過することができ、従来のようにポールを迂回する必要が無くなるので薬剤散布や茶葉の収穫等の作業性が向上する。
【０００７】
【発明の実施の形態】
以下、本発明の一実施形態について図１〜図５を参照して説明する。図１は実施形態に係る防霜ファンの側面図、図２は防霜ファンを背面側から見た斜視図、図３は首を折って収納状態にした防霜ファンの側面図である。
図１〜図３に示すように、防霜ファン１は、ポール１０の先端部に設けられた支持部２０にて送風機本体３０が首振り及び俯仰調節可能に支持されてなる概略構成とされる。
【０００８】
上記のポール１０は、口径の異なった複数の中空筒体１０ａ〜１０ｎが口径順の多段状に最大径の基端筒体１０ａ内に収納されて伸縮自在に形成され、かつ基端筒体１０ａをほぼ地中に埋め込んだ状態（図３参照）にして設置される。さらに、基端筒体１０ａには、供給装置１１からホース１１ａを介して水、空気等の流体の供給を受けると各中空筒体１０ａ〜１０ｎを伸長状態にすることのできる伸縮機構（図示しない）が備えられている。図中、１２は、ホース接続口を地上にもってくるための接続パイプである。
【０００９】
次に、支持部２０について説明する。最上部に位置する中空筒体１０ｎの先端部には筒状の固定部材２１がねじ止めされており、その固定部材２１に取付けられた軸受２１ａにより回動体２２がポール１０の軸線回りに回動自在に支持されている。回動体２２は首振り機構として、モータ２３、リンク機構２４、歯車装置２５等を具備し、モータ２３が回転すると回動体２２が往復回動し、その回動体２２から略水平方向に突出しているアーム部２２ａが往復回動（首振り運動）する。なお、上記の首振り機構自体は周知である。
【００１０】
そのアーム部２２ａの先端部には略水平方向に延びる軸部材２６が設けられ、軸部材２６によって、送風機本体３０を支持する連結部材２８の基端部２８ａが回動自在に支持されている。基端部２８ａには軸部材２６を中心として中心角が略９０°の弧を描く位置に案内溝２８ｂが形成され、案内溝２８ｂを貫通した状態でアーム部２２ａにねじ込まれている固定用ボルト２９は、連結部材２８が軸部材２６回りに回動するときに案内溝２８ｂの一端部に係止するストッパーとして作用する。そして、この固定用ボルト２９を締めつけることで連結部材２８を任意の回動位置（首折り位置）に固定することができる。
上記のように首折り機構が構成され、送風機本体３０の姿勢を変えることによって、次述する羽根３２の前面が真横（略水平）に向く状態からほぼ真下に向く首折り状態（図３参照）まで俯仰調節が可能に形成されている。
【００１１】
次に、送風機本体３０について説明する。前記連結部材２８の先端部２８ｃに設けられたモータ取付座２８ｄに送風用のモータ３１が取付られ、モータ軸に羽根３２が直結されている。この羽根３２は３枚羽根の軸流ファンである。その取付座２８ｄからは支持アーム３３が伸びており、支持アーム３３の先端部にベルマウス状の風ガイド３４が取付けられている。風ガイド３４には、羽根３２の後部を保護するための後ガード３５と、羽根３２の前面を保護するための前ガード３６が取付けられている。
【００１２】
さて、上記のように構成された防霜ファン１の作用について説明する。
防霜ファン１を使用するときには、図１及び図４に示すように、送風機本体３０の俯仰調節を行ったうえで固定ボルト２９をねじ込んで首折り機構を固定し、さらにポール１０を伸ばした状態で伸縮機構をロックする。
続いて、モータ３１を回して羽根３２による送風を開始し、モータ２３にて首振り運動をさせる。
【００１３】
その後、防霜ファン１を退避させるときには、図３及び図５に示すように、伸縮機構のロックを解除してポール１０を縮小状態にし、固定ボルト２９を緩めて首折り機構のロックを解除する。このとき、連結部材２８は送風機本体３０の重みで軸部材２６回りに略９０°回動して案内溝２８ｂの端部が固定ボルト２９に係止する位置で止まる。すなわち、羽根３２がほぼ真下に向く状態になって防霜ファン１が茶畝の中に隠れる最も背の低い姿勢になる。なお、前提として、茶畝Ｔには、防霜ファンを収納するスペースｔを設けておく。
【００１４】
すなわち、防霜ファン１を収納状態にすれば、摘採機Ｗ等の作業機械がポール１０や送風機本体３０に邪魔されずに茶畝の上方を通過することができるので、作業効率が向上する。その場合、羽根３２が前後のガード３５，３６にてカバーされているので、降下させた状態で羽根３２が回転しても安全である。なお、前後のガード３５，３６は省略することもできる。
また、防霜ファン１の保守点検が低位置で行えるので保守点検作業を容易に行うことができる。
また、首折り機構と俯仰調節機構が兼用とされているので操作が容易であるとともに、構成が簡素でコストアップが抑えられる。
この他、台風等の自然災害時に、防霜ファンを簡易迅速に収納状態にすることができるので機器の破損を未然に防止することが容易にできる。
なお、防霜ファンは茶園のほか、畑や果樹園で利用され、ゴルフ場等で芝が熱気に蒸れるのを防ぐためにも使用される。
【００１５】
また、上記の実施形態において、ポール１０の伸縮機構は、例えばラックピニオン式にする等、種々に変更可能である。
この他、当業者の知識に基づき、種々の変更を加えた態様で本発明を実施し得ることは勿論である。
【００１６】
【発明の効果】
以上説明したように、本発明の防霜ファンは、例えば茶畝の中に隠れるように作業機械の運転の邪魔にならない位置に退避させることができる。したがって、各種作業機械、特に、茶畝を跨いで走行するような大型の作業機械の作業効率が著しく向上するという効果がある。
【図面の簡単な説明】
【図１】実施形態に係る防霜ファンの側面図である。
【図２】実施形態に係る防霜ファンの斜視図である。
【図３】実施形態に係る防霜ファンの収納状態を説明する部分断面側面図である。
【図４】実施形態に係る防霜ファンの使用状態を説明する斜視図である。
【図５】実施形態に係る防霜ファンの収納状態を説明する斜視図である。
【図６】従来例の防霜ファンを設置した茶園を説明する斜視図である。
【符号の説明】
１    防霜ファン
１０  ポール
２０  支持部
２２ａ  アーム部
２６  軸部材
２８  連結部
２８ａ  基端部
２８ｂ  案内溝
２９  固定用ボルト
Ｔ  茶畝
Ｗ  乗用型摘採機
【図１】
0003786224.tif 000002
【図２】
0003786224.tif 000003
【図３】
0003786224.tif 000004
【図４】
0003786224.tif 000005
【図５】
0003786224.tif 000006
【図６】
0003786224.tif 000007